(57)【特許請求の範囲】
【請求項１】
ＭＡＣアドレスを付与されたＬＡＮ構成装置の設置場所の特定方法であって、
ＬＡＮ構成装置の設置場所をＭＡＣアドレスから特定する検索装置が、入力されたセグメント番号とＬＡＮ構成装置のＩＰアドレスからＩＰアドレス一覧テーブルを生成し、
前記ＩＰアドレス一覧テーブルに登録されたすべてのＬＡＮ構成装置にＩＰパケットを順次送信し、該ＩＰパケットに対して正常に応答を返したＬＡＮ構成装置を抽出し、
正常に応答を返した前記ＬＡＮ構成装置に対して、ＭＡＣアドレス学習テーブル内のポート番号およびＭＡＣアドレスを拡張ＭＩＢ情報として、拡張ＭＩＢＭＡＣアドレス学習テーブルへの格納を指示し、
前記拡張ＭＩＢＭＡＣアドレス学習テーブルへ格納した前記ＬＡＮ構成装置の前記拡張ＭＩＢ情報を収集して、ネットワーク内のＬＡＮ構成装置のＭＡＣアドレス学習一覧テーブルを生成し、
前記ＭＡＣアドレス学習一覧テーブルを検索して、指定されたＭＡＣアドレスを持つＬＡＮ構成装置がどの装置のポート番号に接続されているかを検出する、
ことを特徴とするＬＡＮ構成装置の設置場所の特定方法。
【請求項２】
ＭＡＣアドレスを付与されたＬＡＮ構成装置の設置場所の特定方法であって、
ＬＡＮ構成装置の設置場所をＭＡＣアドレスから特定する検索装置が、入力されたセグメント番号内のすべてのＬＡＮ構成装置にＩＰパケットをブロードキャストで送信し、該ＩＰパケットに対して正常に応答を返したＬＡＮ構成装置からＩＰアドレス一覧テーブルを自動生成し、
前記ＩＰアドレス一覧テーブルに登録されたすべてのＬＡＮ構成装置にＩＰパケットを順次送信し、該ＩＰパケットに対して正常に応答を返したＬＡＮ構成装置を抽出し、
正常に応答を返した前記ＬＡＮ構成装置に対して、ＭＡＣアドレス学習テーブル内のポート番号およびＭＡＣアドレスを拡張ＭＩＢ情報として、拡張ＭＩＢＭＡＣアドレス学習テーブルへの格納を指示し、
前記拡張ＭＩＢＭＡＣアドレス学習テーブルへ格納した前記ＬＡＮ構成装置の前記拡張ＭＩＢ情報を収集して、ネットワーク内のＬＡＮ構成装置のＭＡＣアドレス学習一覧テーブルを生成し、
前記ＭＡＣアドレス学習一覧テーブルを検索して、指定されたＭＡＣアドレスを持つＬＡＮ構成装置がどの装置のポート番号に接続されているかを検出する、
ことを特徴とするＬＡＮ構成装置の設置場所の特定方法。
【請求項３】
ＭＡＣアドレスを付与されたＬＡＮ構成装置の設置場所の特定する検索装置であって、
入力したコマンドを解析するコマンド受付部と、前記コマンド受付部を介して入力されたセグメント番号とＬＡＮ構成装置のＩＰアドレスからＩＰアドレス一覧テーブルを生成するＩＰアドレス一覧テーブル生成部と、
前記ＩＰアドレス一覧テーブルに登録されたＬＡＮ構成装置に、ＭＡＣアドレス学習テーブル内のポート番号とＭＡＣアドレスを拡張ＭＩＢ情報として拡張ＭＩＢＭＡＣアドレス学習テーブルへの格納を指示し、その格納結果を収集するＭＡＣアドレス学習テーブル前収集処理部と、
正常に応答を返した前記ＬＡＮ構成装置の前記拡張ＭＩＢＭＡＣアドレス学習テーブルの情報を収集して、ＭＡＣアドレス学習一覧テーブルを生成するＭＡＣアドレス学習テーブル収集処理部と、
前記ＭＡＣアドレス学習一覧テーブルを検索して、指定されたＭＡＣアドレスを持つＬＡＮ構成装置がどの装置のポート番号に接続されているかを検出するＭＡＣアドレス検索処理部とを、
備えたことを特徴とする検索装置。
【発明の詳細な説明】
【０００１】
【発明の属する技術分野】
本発明は、ＬＡＮ(Local Area Network)において、ＬＡＮを構成する装置（以下ＬＡＮ構成装置と称する）に付与されたＭＡＣアドレスをもとに、該ＬＡＮ構成装置の設置場所を特定する方法および検索装置に関する。
近年のネットワーク技術の進展に伴い、ＬＡＮの規模が大きくなり、ＬＡＮ構成装置およびＬＡＮ構成装置に収容される端末装置の数も増大している。このようなネットワーク環境において、障害が発生した場合、送受信したＩＰパケットをチェックすることにより障害が発生した端末装置のＭＡＣアドレスは簡単に判定することが可能である。
【０００２】
しかし、大規模化したＬＡＮにおいては、障害が発生した端末装置のＭＡＣアドレスが判明しても、その端末装置が何処に設置されているかの判定は困難であり、その障害の復旧に長い時間を要することになる。
かかるＬＡＮにおいて、障害が発生した端末装置のＭＡＣアドレスから、簡単に障害が発生した端末装置の設置場所を特定できるＬＡＮ構成装置の設置場所の特定方法および検索装置が要求されている。
【０００３】
【従来の技術】
図１４は従来技術のシステム構成を説明する図を示す。
図１４において、４００は、パケットをそのパケットのヘッダで指定されるアドレスの転送先に転送するＬＡＮ構成装置としてのブリッジ装置であり、４１０、４１１、４１２、４２０、４２１はパケットをそのパケットのヘッダで指定されるアドレスの転送先に転送するＬＡＮ構成装置としてのハブ装置である。また、３００、３１０はハブ装置４１２、４２１に接続される端末装置である。
【０００４】
ブリッジ装置４００はＩＰ処理部１０ＡとＭＡＣアドレス学習テーブル（図中学習テーブルと示す）Ｔ１１を備えており、ハブ装置４１０、４１１、４１２、４２０、４２１はＩＰ処理部１０ＡとＭＡＣアドレス学習テーブルＴ１１を備えている。ブリッジ装置４００のＩＰ処理部１０Ａ、およびハブ装置４１０〜４２１のＩＰ処理部１０ＡはＩＰパケットの送受信機能を備えている。図１４においては、ネットワークは１つであるが、ブリッジ装置４００は複数のネットワークを接続することも可能である。
【０００５】
ここで、ＭＡＣアドレス学習テーブルＴ１１は、レイヤ２のＩＰパケットを受信したとき、受信したＩＰパケットの送信元ＭＡＣアドレスをブリッジ装置４００、ハブ装置４ｉｊ（ｉ、ｊ＝任意の数字）の受信ポート対応に登録するテーブルである。
図１４において、端末装置３００と端末装置３１０が通信を行うとき、ＬＡＮを構成するＬＡＮ構成装置（以下ブリッジ装置４００、ハブ装置４ｉｊをＬＡＮ構成装置と総称する）を経由するパスは、端末装置３００⇒ハブ装置４１２⇒ハブ装置４１０⇒ブリッジ装置４００⇒ハブ装置４２０⇒ハブ装置４２１⇒端末装置３１０となる。
【０００６】
このとき、経由したハブ装置４１２、ハブ装置４１０、ブリッジ装置４００、ハブ装置４２０、ハブ装置４２１のＭＡＣアドレス学習テーブルＴ１１には、すべて端末装置３００のＭＡＣアドレスと、端末装置３００からパケットを受信したポート番号とが登録される。
ここで、端末装置３００に障害が発生した場合、端末装置３００の設置場所を特定するには、ブリッジ装置４００、ハブ装置４１０〜４２１のＭＡＣアドレス等のＬＡＮ構成装置情報をもとに、Ｔｅｌｎｅｔ（遠隔地から他のコンピュータにログインして、遠隔操作を行う仮想端末プロトコル）を介して管理用端末５００から各ＬＡＮ構成装置にリモートログインを行い、各ＬＡＮ構成装置のベンダに固有のＭＡＣアドレス学習テーブルＴ１１を表示する表示コマンドを投入し、ＭＡＣアドレス学習テーブルＴ１１を表示し、その表示を人手により解析してＬＡＮ構成機器の設置場所の特定を行う。
【０００７】
【発明が解決しようとする課題】
図１４で説明した従来技術において、例えば、ＩＰアドレスを人手によりそれぞれのＬＡＮ構成装置へ設定するので、誤ってＩＰアドレスを重複して設定してしまう場合も生じる。ＩＰアドレスが重複したＬＡＮ構成装置がサーバであったときは、このサーバとの通信が不可能となる。
【０００８】
ところが、各企業で使用されるＬＡＮは大規模化し、かつ、企業経営環境も厳しくなってきているので、企業内で組織の変更、人員が移動も頻繁に行われるようになってきており、ＬＡＮ構成装置の配置変更も頻繁に行われている。ところが、端末装置を含むＬＡＮ構成装置の配置までを含んだＬＡＮ管理データベースを構築してＬＡＮの管理を行っている企業は少ない。
【０００９】
かかるＬＡＮにおいて、ＬＡＮ構成装置に障害が発生し、そのＭＡＣアドレスが判明したとき、そのＭＡＣアドレスから障害が発生したＬＡＮ構成装置の設置場所を特定して、対応をとることが必要となる。
しかし、一般的にはＬＡＮ構成装置情報は、接続先ポートとＭＡＣアドレスまでの管理は行っていない場合が多いので、ＭＡＣアドレスから当該ＬＡＮ構成装置の設置場所を特定するには、高い技術と長い時間が必要となる。
【００１０】
本発明は、ＬＡＮ構成装置に障害が発生したとき、障害が発生したＬＡＮ構成装置のＭＡＣアドレスから、そのＭＡＣアドレスをもつＬＡＮ構成装置の設置場所を容易に特定できるＬＡＮ構成装置の設置場所の特定方法および検索装置を提供することを目的とする。
【００１１】
【課題を解決するための手段】
第１の発明は、ＭＡＣアドレスを付与されたＬＡＮ構成装置の設置場所の特定方法であって、
ＬＡＮ構成装置の設置場所をＭＡＣアドレスから特定する検索装置が、入力されたセグメント番号とＬＡＮ構成装置のＩＰアドレスからＩＰアドレス一覧テーブルを生成し、
前記ＩＰアドレス一覧テーブルに登録されたすべてのＬＡＮ構成装置にＩＰパケットを順次送信し、該ＩＰパケットに対して正常に応答を返したＬＡＮ構成装置を抽出し、
正常に応答を返した前記ＬＡＮ構成装置に対して、ＭＡＣアドレス学習テーブル内のポート番号およびＭＡＣアドレスを拡張ＭＩＢ情報として、拡張ＭＩＢＭＡＣアドレス学習テーブルへの格納を指示し、
前記拡張ＭＩＢＭＡＣアドレス学習テーブルへ格納した前記ＬＡＮ構成装置の前記拡張ＭＩＢ情報を収集して、ネットワーク内のＬＡＮ構成装置のＭＡＣアドレス学習一覧テーブルを生成し、
前記ＭＡＣアドレス学習一覧テーブルを検索して、指定されたＭＡＣアドレスを持つＬＡＮ構成装置がどの装置のポート番号に接続されているかを検出するＬＡＮ構成装置の設置場所の特定方法である。
【００１２】
第１の発明によれば、例えば、ＬＡＮを構成するＬＡＮ構成装置に障害が発生し、そのＭＡＣアドレスからＬＡＮ構成装置の設置場所を特定する場合、先ず、セグメント番号とＩＰアドレスからＩＰアドレス一覧テーブルを生成する。検索装置からＭＡＣアドレス検索コマンドを投入されると、検索装置は入力されたコマンドがＭＡＣアドレス検索コマンドであると判定すると、ＩＰアドレス一覧テーブルに登録されたすべてのＬＡＮ構成装置にＩＰパケットを順次送信し、ＩＰパケット応答が正常であったＬＡＮ構成装置を特定する。
【００１３】
次いで、ＩＰパケットに正常に応答したＬＡＮ構成装置に対して、ＭＡＣアドレス学習テーブル内の情報を拡張ＭＩＢＭＡＣアドレス学習テーブルへの格納することを指示するとともに、その結果を受信する。ここで、それぞれのＬＡＮ構成装置の拡張ＭＩＢＭＡＣアドレス学習テーブルには、ＭＡＣアドレス学習テーブル内の情報が格納されたので、検索装置は、それぞれのＬＡＮ構成装置から拡張ＭＩＢＭＡＣアドレス学習テーブルの情報を収集して、ＭＡＣアドレス学習一覧テーブルを生成する。
【００１４】
ＭＡＣアドレス学習一覧テーブルには、ＬＡＮ内のすべてのＬＡＮ構成装置のＭＡＣアドレス、ポート番号、そのポート番号に収容されるＬＡＮ構成装置のＭＡＣアドレスが書き込まれる。
このＭＡＣアドレス学習一覧テーブルを検索して、それぞれのＬＡＮ構成装置のポート番号ごとの接続状態を判定して指定のＭＡＣアドレスをもつＬＡＮ構成装置の設置場所を特定する。
【００１５】
第２の発明は、ＭＡＣアドレスを付与されたＬＡＮ構成装置の設置場所の特定方法であって、
ＬＡＮ構成装置の設置場所をＭＡＣアドレスから特定する検索装置が、入力されたセグメント番号内のすべてのＬＡＮ構成装置にＩＰパケットをブロードキャストで送信し、該ＩＰパケットに対して正常に応答を返したＬＡＮ構成装置からＩＰアドレス一覧テーブルを自動生成し、
前記ＩＰアドレス一覧テーブルに登録されたすべてのＬＡＮ構成装置にＩＰパケットを順次送信し、該ＩＰパケットに対して正常に応答を返したＬＡＮ構成装置を抽出し、
正常に応答を返した前記ＬＡＮ構成装置に対して、ＭＡＣアドレス学習テーブル内のポート番号およびＭＡＣアドレスを拡張ＭＩＢ情報として、拡張ＭＩＢＭＡＣアドレス学習テーブルへの格納を指示し、
前記拡張ＭＩＢＭＡＣアドレス学習テーブルへ格納した前記ＬＡＮ構成装置の前記拡張ＭＩＢ情報を収集して、ネットワーク内のＬＡＮ構成装置のＭＡＣアドレス学習一覧テーブルを生成し、
前記ＭＡＣアドレス学習一覧テーブルを検索して、指定されたＭＡＣアドレスを持つＬＡＮ構成装置がどの装置のポート番号に接続されているかを検出するＬＡＮ構成装置の設置場所の特定方法である。
【００１６】
第２の発明によれば、例えば、ＬＡＮを構成するＬＡＮ構成装置に障害が発生し、そのＭＡＣアドレスからＬＡＮ構成装置の設置場所を特定する場合、検索装置からＭＡＣアドレス検索コマンドを投入する。検索装置は入力されたコマンドがＭＡＣアドレス検索コマンドであると判定すると、指定されたセグメント内のすべてのＬＡＮ構成装置にＩＰパケットをブロードキャストで送信し、ＩＰパケットに対して正常に応答を返したＬＡＮ構成装置からＩＰアドレス一覧テーブルを自動生成する。
【００１７】
次いで、ＩＰアドレス一覧テーブルに登録されたすべてのＬＡＮ構成装置にＩＰパケットを順次送信し、ＩＰパケット応答が正常であったＬＡＮ構成装置を特定する。
次いで、ＩＰパケットに正常に応答したＬＡＮ構成装置に対して、ＭＡＣアドレス学習テーブル内の情報を拡張ＭＩＢＭＡＣアドレス学習テーブルへの格納することを指示するとともに、その結果を受信する。ここで、それぞれのＬＡＮ構成装置の拡張ＭＩＢＭＡＣアドレス学習テーブルには、ＭＡＣアドレス学習テーブル内の情報が格納されたので、検索装置は、それぞれのＬＡＮ構成装置から拡張ＭＩＢＭＡＣアドレス学習テーブルの情報を収集して、ＭＡＣアドレス学習一覧テーブルを生成する。
【００１８】
ＭＡＣアドレス学習一覧テーブルには、ＬＡＮ内のすべてのＬＡＮ構成装置のＭＡＣアドレス、ポート番号、そのポート番号に収容されるＬＡＮ構成装置のＭＡＣアドレスが書き込まれる。
このＭＡＣアドレス学習一覧テーブルを検索して、それぞれのＬＡＮ構成装置のポート番号ごとの接続状態を判定して指定のＭＡＣアドレスをもつＬＡＮ構成装置の設置場所を特定する。
【００１９】
第３の発明は、ＭＡＣアドレスを付与されたＬＡＮ構成装置の設置場所の特定する検索装置であって、
入力したコマンドを解析するコマンド受付部と、前記コマンド受付部を介して入力されたセグメント番号とＬＡＮ構成装置のＩＰアドレスからＩＰアドレス一覧テーブルを生成するＩＰアドレス一覧テーブル生成部と、
前記ＩＰアドレス一覧テーブルに登録されたＬＡＮ構成装置に、ＭＡＣアドレス学習テーブル内のポート番号とＭＡＣアドレスを拡張ＭＩＢ情報として拡張ＭＩＢＭＡＣアドレス学習テーブルへの格納を指示し、その格納結果を収集するＭＡＣアドレス学習テーブル前収集処理部と、
正常に応答を返した前記ＬＡＮ構成装置の前記拡張ＭＩＢＭＡＣアドレス学習テーブルの情報を収集して、ＭＡＣアドレス学習一覧テーブルを生成するＭＡＣアドレス学習テーブル収集処理部と、
前記ＭＡＣアドレス学習一覧テーブルを検索して、指定されたＭＡＣアドレスを持つＬＡＮ構成装置がどの装置のポート番号に接続されているかを検出するＭＡＣアドレス検索処理部とを備えた検索装置である。
【００２０】
第３の発明によれば、検索装置は、
コマンド受付部で入力されたコマンドを解析し、入力されたコマンドがＩＰアドレス一覧テーブル生成コマンドの場合は、ＩＰアドレス一覧テーブル生成部を起動して、同時に入力されたセグメント番号とＩＰアドレスからＩＰアドレス一覧テーブルを手動で生成する。次いで、ＭＡＣアドレス学習テーブル前収集処理部は、ＩＰアドレス一覧テーブルに格納されたＬＡＮ構成装置に対して、ＭＡＣアドレス学習テーブル内の情報を拡張ＭＩＢＭＡＣアドレス学習テーブルに格納する指示を出し、その結果を受信する。ＭＡＣアドレス学習テーブル収集処理部は拡張ＭＩＢＭＡＣアドレス学習テーブルにＭＡＣアドレス学習テーブルが格納できたＬＡＮ構成装置から、拡張ＭＩＢＭＡＣアドレス学習テーブルの情報を収集し、ＭＡＣアドレス学習一覧テーブルを生成する。
【００２１】
このＭＡＣアドレス学習一覧テーブルにはＬＡＮ内のすべてのＬＡＮ構成装置とそのＭＡＣアドレス、およびポート番号およびポート番号ごとに収容するＬＡＮ構成装置のＭＡＣアドレスが格納されているので、ＭＡＣアドレス検索処理部により、ＭＡＣアドレス学習一覧テーブルを検索することにより指定されたＭＡＣアドレスを持つＬＡＮ構成装置の設置場所を特定することができる。
【００２２】
【発明の実施の形態】
図１は本発明のシステム構成を説明する図である。
図１において、１００はパケットを、そのパケット内のヘッダで指定されるアドレスの転送先に転送するＬＡＮ構成装置としてのブリッジ装置であり、１１０、１１１、１１２、１２０、１２１はパケットを、そのパケット内のヘッダで指定されるアドレスの転送先に転送するＬＡＮ構成装置としてのハブ装置である。図１においては、ネットワークは１つであるが、ブリッジ装置４００は複数のネットワークを接続することも可能である。また、３００、３１０はハブ装置１１２、１２１に接続される端末装置である。
【００２３】
ブリッジ装置１００、およびはハブ装置１１０、１１１、１１２、１２０、１２１はＩＰ処理部１０Ａ、ＭＡＣアドレス学習テーブルＴ１１および拡張ＭＩＢＭＡＣアドレス学習テーブル（図中拡張ＭＢＴと示す）Ｔ１２とを備えている。ブリッジ装置１００およびハブ装置１１０〜１２１のＩＰ処理部１０Ａ、ＭＡＣアドレス学習テーブルＴ１１は、図１４の従来技術で説明したのと同じものである。
【００２４】
本発明においては、それぞれのＬＡＮ構成装置に拡張ＭＩＢＭＡＣアドレス学習テーブルＴ１２を設けて構成している。本発明では、拡張ＭＩＢを使用することにより、マルチベンダ環境でも、同じ処理によりそれぞれのＬＡＮ構成装置から拡張ＭＩＢＭＡＣアドレス学習テーブルＴ１２を収集することが可能となる。図１において、端末装置３００と端末装置３１０が通信を行うとき、ＬＡＮを構成するＬＡＮ構成装置を経由するパスは、端末装置３００⇒ハブ装置１１２⇒ハブ装置１１０⇒ブリッジ装置１００⇒ハブ装置１２０⇒ハブ装置１２１⇒端末装置３１０であり、経由したＬＡＮ構成装置のすべてのＭＡＣアドレス学習テーブルＴ１１に、端末装置３００のＭＡＣアドレスと端末装置３００からパケットを受信したポート番号が登録される動作は、図１４の従来技術と同じである。（図１において、端末装置３００のＭＡＣアドレスを「ａ」とし、受信したポート番号対応にＭＡＣアドレス「ａ」を書き込んだ状態を示す。）
かかる状態で、検索端末２００からＩＰアドレス一覧テーブルに登録されたすべてのＬＡＮ構成装置にＩＣＭＰ(Internet Control Message Protocol、エラー通知や通信状態の診断を行うためのプロトコル) のＰｉｎｇ要求 (TCP/IPネットワークにおいてＩＰパケットが相手先まで届いているか否かを調べるためのコマンド) を送信する。Ｐｉｎｇ要求を受信したＬＡＮ構成装置はＰｉｎｇ要求に対するＰｉｎｇ応答を検索端末２００へ返送する。
【００２５】
このＰｉｎｇの送受信の際も、Ｐｉｎｇ要求を受信したポートには、ポート対応でＰｉｎｇ要求を送信したＬＡＮ構成装置、ここでは検索端末２００のＭＡＣアドレスが登録される。（図１において、検索装置２００のＭＡＣアドレスを「ｂ」とし、受信したポート番号対応にＭＡＣアドレス「ｂ」を書き込んだ状態を示す。）
検索装置２００はＭＡＣアドレス学習テーブルＴ１１の情報を拡張ＭＩＢＭＡＣアドレス学習テーブルＴ１２に書き込むコマンドを送出する。拡張ＭＩＢＭＡＣアドレス学習テーブルＴ１２に各ＬＡＮ構成装置のＭＡＣアドレス学習テーブルＴ１１の情報を書き込むことにより、検索装置２００から、すべてのＬＡＮ構成装置の拡張ＭＩＢＭＡＣアドレス学習テーブルＴ１２を拡張ＭＩＢにより収集することが可能となる。このようにして、ネットワーク内のすべてのＬＡＮ構成装置の拡張ＭＩＢＭＡＣアドレス学習テーブルＴ１２の情報を検索装置２００のＭＡＣアドレス学習一覧テーブルＴ２２（図中学習一覧テーブルと示す）に格納する。
【００２６】
このＭＡＣアドレス学習一覧テーブルＴ２２を下記の（１）〜（３）の手順で検索することにより、指定のＭＡＣアドレスをもつＬＡＮ構成装置を収容するＬＡＮ構成装置とポート番号を容易に特定することが可能となる。
（１）  検索装置２００はＭＡＣアドレス学習一覧テーブルＴ２２を指定されたＭＡＣアドレス「ａ」で検索する。ここで、ＭＡＣアドレス学習一覧テーブルＴ２２の中で、指定されたＭＡＣアドレス「ａ」を学習していないＬＡＮ構成装置（図１中のハブ装置１１１）は除外される。
【００２７】
（２）  指定されたＭＡＣアドレス「ａ」を学習しているＬＡＮ構成装置に対してＰｉｎｇ要求を送信する。このとき、Ｐｉｎｇ要求を送信したＬＡＮ構成装置から拡張ＭＩＢを収集し、ＭＡＣアドレス学習一覧テーブルＴ２２を更新する。ここで、（１）の処理で指定されたＭＡＣアドレス「ａ」が書き込まれていたＬＡＮ構成装置のポート番号を抽出し、そのポート番号内に検索装置２００のＭＡＣアドレス「ｂ」が書き込まれているか否かを検索し、書き込まれていればそのＬＡＮ構成装置（図１中のハブ装置１２１）は除外される。
【００２８】
（３）  残りのＬＡＮ構成装置（図１のブリッジ装置１００，ハブ装置１１０、１１２）の中のＭＡＣアドレス「ａ」が書き込まれていたポート番号を抽出する。抽出したＬＡＮ構成装置のポート番号内に、いずれかのＬＡＮ構成装置のＭＡＣアドレスが存在するか否かを検索し、何も存在しない場合は、そのポート番号をもつＬＡＮ構成装置（図１のハブ装置１１２）が指定のＭＡＣアドレスをもつＬＡＮ構成装置となる。
【００２９】
図２は本発明の第１の発明の実施の形態の検索装置の構成を説明する図である。
図２中の２０１はコマンド受付部であり、２０２はＩＰアドレス一覧テーブル生成部であり、Ｔ２１はＩＰアドレス一覧テーブル、２０３はＭＡＣアドレス学習テーブル前収集処理部であり、２０４はＭＡＣアドレス学習テーブル収集処理部であり、２０５はＩＣＰＭ部、２０６はＩＰ部、２０７はＳＮＭＰ(Simple Network Management Protocol 、TCP/IPネットワーク環境下での管理プロトコル) マネージャ部、Ｔ２２はＭＡＣアドレス学習一覧テーブル、２０８はＭＡＣアドレス検索処理部、２０９はコマンド出力部、２１０はＭＡＣアドレス管理部である。
【００３０】
図２において、コマンド受付部２０１は入力されたコマンドを分析して、コマンドが「ＩＰアドレス一覧生成コマンド（図中コマンドはＣＭＤと示す）」と判定すると、ＩＰアドレス一覧テーブル生成部２０２を起動し、入力されたセグメント番号とＩＰアドレスからＩＰアドレス一覧テーブルＴ２１を生成する。
続いて、検索コマンドが入力されると、ＩＣＰＭのＰｉｎｇ要求の送信をＩＣＰＭ部２０５に依頼する。次いで、ＭＡＣアドレス学習テーブル前収集処理部２０３はＰｉｎｇ要求に対して正常に応答したＬＡＮ構成装置に、ＩＰパケットで拡張ＭＩＢＭＡＣアドレス学習テーブルＴ１２の生成を指示する。ＭＡＣアドレス学習テーブル収集処理部２０４はＳＮＭＰマネージャ部２０７に、ＩＰパケットに正常に応答したＬＡＮ構成装置に対して、ＧＥＴコマンドに拡張ＭＩＢＭＡＣアドレス学習テーブルＴ１２が格納されているインデックス値を設定しての送信を依頼する。そして、ＧＥＴコマンドに対するＧＥＴ応答内の拡張ＭＩＢ属性が拡張ＭＩＢＭＡＣアドレス学習一覧テーブルである場合、拡張ＭＩＢＭＡＣアドレス学習テーブルＴ１２の内容をＭＡＣアドレス学習一覧テーブルＴ２２にポート番号対応にＬＡＮ構成装置のＭＡＣアドレスを格納する。
【００３１】
図３は本発明のハブ装置を説明する図である。
図３中の１０１はＩＰ部、１０２はＳＮＭＰエージェント部、１０３は拡張ＭＩＢＭＡＣアドレス学習テーブル生成部、１０４はＭＡＣアドレス管理部、Ｔ１１はＭＡＣアドレス学習テーブル、Ｔ１２は拡張ＭＩＢＭＡＣアドレス学習テーブルである。図３はハブ装置の構成を示したものであるが、ブリッジ装置の基本的構成も同じであり、ＩＰ部１０１の処理が異なるのみである。
【００３２】
図３において、ＩＰ部１０１は他のＬＡＮ構成装置とのＩＰパケットの送受信を行い、送受信したＩＰパケットのＭＡＣアドレスをＭＡＣアドレス学習テーブルＴ１１に格納する。また、検索装置２００からの拡張ＭＩＢＭＡＣアドレス学習テーブルＴ１２の作成指示を受けると、拡張ＭＩＢＭＡＣアドレス学習テーブル生成部１０３を起動して、ＭＡＣアドレス学習テーブルＴ１１の中の情報とＭＡＣアドレス管理部１０４から自ＬＡＮ構成装置のＭＡＣアドレスを取得して拡張ＭＩＢＭＡＣアドレス学習テーブルＴ１２に拡張ＭＩＢとして設定する。
【００３３】
次いで、ＳＮＭＰエージェント部１０２は検索装置２００のＳＮＭＰマネージャ部２０７からＧＥＴコマンドを受信すると、拡張ＭＩＢＭＡＣアドレス学習テーブルＴ１２の情報をＧＥＴ応答として、検索装置２００へ送信する。
図４は本発明のＩＰアドレス一覧テーブル、ＭＡＣアドレス学習一覧テーブルを説明する図である。
【００３４】
図４の（Ａ）はＩＰアドレス一覧テーブルＴ２１を示す。ＩＰアドレス一覧テーブルＴ２１は、ネットワーク全体を複数のセグメントに分割し、そのセグメント内に収容されているＬＡＮ構成装置のＩＰアドレスを登録したものである。
図４の（Ｂ）はＭＡＣアドレス学習一覧テーブルＴ２２を示す。ＭＡＣアドレス学習一覧テーブルＴ２２はＬＡＮ構成装置それぞれに設けられた拡張ＭＩＢＭＡＣアドレス学習テーブルＴ１２の情報を読み出すことにより生成するものであり、ＬＡＮ構成装置ごとのＩＰアドレス、ＭＡＣアドレス、ポート番号、およびポート番号ごとにそのポートで通信を行った相手のＬＡＮ構成装置のＭＡＣアドレスが登録される。
【００３５】
図５は拡張ＭＩＢＭＡＣアドレス学習テーブルを説明する図である。
拡張ＭＩＢＭＡＣアドレス学習テーブルＴ１２はＬＡＮ構成装置それぞれに設けられるものであり、属性としての拡張ＭＩＢＭＡＣアドレス学習テーブル、自装置のＭＡＣアドレス、ポート番号およびそのポートで通信を行った相手のＬＡＮ構成装置のＭＡＣアドレスが登録される。
【００３６】
図６は本発明の第１の発明の実施の形態のＩＰアドレス一覧テーブル生成処理のフローチャートを示す。以下ＩＰアドレス一覧テーブルＴ２１の生成処理をフローチャートのステップ（図中Ｓと示す）にしたがって説明する。
Ｓ１０１：検索装置２００にＩＰアドレス一覧テーブル生成コマンドがセグメント番号と、そのセグメント番号に収容されるＬＡＮ構成装置のＩＰアドレスとが入力される。
【００３７】
Ｓ１０２：コマンド受付部２０１は入力したコマンドを分析し、ＩＰアドレス一覧テーブル生成コマンドであることを認識する。
Ｓ１０３：コマンド受付部２０１はＩＰアドレス一覧テーブル生成部２０２を起動し、ＩＰアドレス一覧テーブル生成部２０２は、セグメント番号とそのセグメントに収容されるＬＡＮ構成装置（以下、フローチャート中ではＬＡＮ構成装置をＩＰ装置と称する）のＩＰアドレスを図４の（Ａ）で説明したＩＰアドレス一覧テーブルＴ２１に格納する。
【００３８】
図７、８は本発明の第１の発明の実施の形態のＭＡＣアドレス学習テーブル生成処理のフローチャート（その１、その２）を示す。
Ｓ２０１：ＭＡＣアドレス学習テーブル生成コマンドがネットワークアドレスを指定して入力される。
Ｓ２０２：コマンド受付部２０１はコマンドを分析し、ＭＡＣアドレス学習一覧テーブル生成コマンドであることを認識する。
【００３９】
Ｓ２０３：ＭＡＣアドレス学習テーブル前収集処理部２０３は指定されたセグメント対応で格納されたＩＰアドレスを抽出し、ＩＣＰＭ部２０５にＰｉｎｇ要求送信を依頼する。Ｐｉｎｇ要求の送信先アドレスはＩＰアドレス一覧テーブルＴ２１に格納されたＩＰアドレスであり、送信元アドレスは自装置のＩＰアドレスである。
【００４０】
Ｓ２０４：ＩＣＰＭ部２０５はＰｉｎｇ応答を受信する。
Ｓ２０５：ＭＡＣアドレス学習テーブル前収集処理部２０３はＰｉｎｇ応答が正常であったＬＡＮ構成装置のＰｉｎｇ応答内の送信元アドレスを抽出し、拡張ＭＩＢＭＡＣアドレス学習テーブルＴ１２の作成指示イベントを生成する。    Ｓ２０６：ＩＰパケットに拡張ＭＩＢＭＡＣアドレス学習テーブル作成指示を設定して、Ｐｉｎｇ応答が正常であったＬＡＮ構成装置へ送信する。
【００４１】
Ｓ２０７：ＬＡＮ構成装置のＩＰ部１０１がＩＰパケットを受信し、その内容から拡張ＭＩＢＭＡＣアドレス学習テーブル生成部１０３を起動して、自ＬＡＮ構成装置のＭＡＣアドレスとＭＡＣアドレス学習テーブルＴ１１を参照して、その情報を拡張ＭＩＢＭＡＣアドレス学習テーブルＴ１２へ格納する。（フローチャート中のアルファベットは次の頁の同じアルファベットに続く）
Ｓ２０８：ＩＰ部１０１はＩＰパケットに、送信元アドレスとして自ＩＰアドレスを、データとして格納結果を設定してＩＰパケットを送信する。
【００４２】
Ｓ２０９：検索装置２００のＩＰ部２０６はＩＰパケットを受信し、ＭＡＣアドレス学習テーブル前収集処理部２０３は受信結果が正常であったＬＡＮ構成装置のＩＰパケットの送信元アドレスを抽出する。
Ｓ２１０：拡張ＭＩＢＭＡＣアドレス学習テーブルＴ１２を格納している格納インデックス値を抽出する。
【００４３】
Ｓ２１１：ＭＡＣアドレス学習テーブル収集処理部２０４は、ＳＮＭＰマネージャ部２０７にＩＰパケットの受信結果が正常であったＬＡＮ構成装置に対して、拡張ＭＩＢＭＡＣアドレス学習テーブルＴ１２の格納インデックス値を設定したＧＥＴコマンドの送信を依頼する。
Ｓ２１２：ＬＡＮ構成装置のＳＮＭＰエージェント部１０２はＧＥＴコマンドを受信し、インデックス値から拡張ＭＩＢＭＡＣアドレス学習テーブルＴ１２の情報を抽出し、ＧＥＴ応答に抽出した拡張ＭＩＢ情報を設定して送信する。
【００４４】
Ｓ２１３：ＬＡＮ構成装置のＭＡＣアドレス学習テーブル収集処理部２０４はＧＥＴ応答が正常の送信元アドレスと拡張ＭＩＢ情報を抽出して、ＭＡＣアドレス学習一覧テーブルＴ２２の当該セグメント対応に格納する。
Ｓ２１４：格納完了をコマンドの実行結果として出力する。
フローチャート中の左寄りに示したステップは検索装置２００の処理を示し、右寄りに示したステップはハブ装置４ｉｊの処理を示す。
【００４５】
図９、１０、１１は本発明の第１の発明の実施の形態のＭＡＣアドレス検索処理のフローチャート（その１、その２、その３）を示す。
本フローチャートの処理による検索が開始される時点での、ＭＡＣアドレス学習一覧テーブルＴ２２は、図７、８の処理にしたがって作成されている。
Ｓ３０１：ＭＡＣアドレス検索コマンドがＭＡＣアドレス、セグメント番号、を指定して入力される。
【００４６】
Ｓ３０２：コマンド受付部２０１はコマンドを分析し、ＭＡＣアドレス検索コマンドであることを認識する。
Ｓ３０３：ＭＡＣアドレス検索処理部２０８はＭＡＣアドレスから当該セグメント番号にリンクされたＭＡＣアドレス学習一覧テーブルＴ２２を検索し、指定されたＭＡＣアドレスを収容するＬＡＮ構成装置のＩＰアドレス、ＭＡＣアドレス、ポート番号、当該ポートに収容されるＭＡＣアドレスを抽出する。（抽出されないハブ装置１１１は対象外として除外される。）
Ｓ３０４：抽出されたＬＡＮ構成装置は１個か否かを判定する。
【００４７】
Ｓ３０５：抽出されたＬＡＮ構成装置が２個以上の場合は、抽出されたＬＡＮ構成装置のＩＰアドレスを抽出する。
Ｓ３０６：ＩＣＰＭ部２０５はＰｉｎｇ要求に送信先アドレスを抽出したＩＰアドレス、送信元アドレスを自ＩＰアドレスに設定して送信する。
Ｓ３０７：ＬＡＮ構成装置からのＰｉｎｇ応答を受信する。
【００４８】
Ｓ３０８：ＩＰ部２０６はＰｉｎｇ応答が正常であったＬＡＮ構成装置に対して、拡張ＭＩＢＭＡＣアドレス学習テーブルＴ１２の作成を指示するＩＰパケットを送信する。
Ｓ３０９：ＬＡＮ構成装置のＩＰ部１０１はＩＰパケットを受信し、拡張ＭＩＢＭＡＣアドレス学習テーブル生成部１０３を起動して、自ＬＡＮ構成装置のＭＡＣアドレスとＭＡＣアドレス学習テーブルＴ１１の情報をＭＡＣアドレス管理部１０４、ＭＡＣアドレス学習テーブルＴ１１を参照して拡張ＭＩＢＭＡＣアドレス学習テーブルＴ１２へ格納する。
【００４９】
Ｓ３１０：ＩＰ部１０１はＩＰパケットに、送信元アドレスとして自ＩＰアドレスを、データとして格納結果を設定してＩＰパケットを送信する。
Ｓ３１１：ＩＰ部２０６はＩＰパケットを受信し、ＭＡＣアドレス学習テーブル前収集処理部２０３は受信結果が正常であったＬＡＮ構成装置のＩＰパケットの送信元アドレスを抽出し、ＳＮＭＰマネージャ部２０７はＧＥＴコマンドに拡張ＭＩＢＭＡＣアドレス学習テーブルＴ１２のインデックス値を設定して送信する。
【００５０】
Ｓ３１２：ＳＮＭＰエージェント部１０２はＧＥＴコマンドを受信し、拡張ＭＩＢＭＡＣアドレス学習テーブルＴ１２の情報を抽出し、ＧＥＴ応答に抽出した拡張ＭＩＢ情報を設定して送信する。
Ｓ３１３：ＳＮＭＰマネージャ部２０７はＧＥＴ応答を受信し、ＭＡＣアドレス学習テーブル収集処理部２０４はＧＥＴ応答が正常の送信元アドレスと拡張ＭＩＢ情報を抽出して、ＭＡＣアドレス学習一覧テーブルＴ２２の当該セグメント対応に格納する。
【００５１】
Ｓ３１４：ＭＡＣアドレス管理部２１０から検索装置２００のＭＡＣアドレスを検出する。
Ｓ３１５：Ｓ３０４で抽出された最初のＬＡＮ構成装置のポート番号対応に登録されたＭＡＣアドレスを抽出する。
Ｓ３１６：検索装置２００のＭＡＣアドレスとＳ３１５で抽出したＭＡＣアドレスが一致したかを判定し、一致した場合は、次のＬＡＮ構成装置を設定してＳ３１５に戻る。（一致した場合は図１におけるハブ装置１２１が対象外として除外される。）
Ｓ３１７：一致しない場合、一致しないＬＡＮ構成装置のＩＰアドレスとポート番号を抽出する。
【００５２】
Ｓ３１８：ＬＡＮ構成装置のすべてが終了したかを判定する。
Ｓ３１９：終了していない場合は、次のＬＡＮ構成装置を設定してＳ３１５に戻る。
Ｓ３２０：不一致のＬＡＮ構成装置は１個か否かを判定する。
Ｓ３２１：不一致のＬＡＮ構成装置が２個以上の場合、当該ＬＡＮ構成装置自身のＭＡＣアドレスをＭＡＣアドレスを抽出する。
【００５３】
Ｓ３２２：不一致のＬＡＮ構成装置のＩＰアドレスとポート番号対応のＭＡＣアドレスを抽出する。
Ｓ３２３：Ｓ３２１で抽出したＭＡＣアドレスの中にＳ３２０で抽出した不一致のＬＡＮ構成装置のＭＡＣアドレスが存在するかを判定する。（存在する場合、図１のブリッジ装置１００、ハブ装置１１０、１１２が対象外として除外される。）
Ｓ３２４：次の装置を抽出
Ｓ３２６：存在しなかったＬＡＮ構成装置のＩＰアドレスとポート番号を抽出する。（図１のハブ装置１１２を特定する。）
Ｓ３２５：Ｓ３２４で抽出したＩＰアドレスとポート番号をコマンド実行結果として出力する。
【００５４】
以上のフローチャートの処理により、ネットワークアドレスとＭＡＣアドレスが指定されると、指定されたＭＡＣアドレスをもつＬＡＮ構成装置を収容するＬＡＮ構成装置のＩＰアドレス、ポート番号を検索することができる。
図１２は本発明の第２の発明の実施の形態の検索装置を説明する図である。
図１２中のコマンド受付部２０１、ＩＰアドレス一覧テーブルＴ２１、ＭＡＣアドレス学習テーブル前収集処理部２０３、ＭＡＣアドレス学習テーブル収集処理部２０４、ＩＣＰＭ部２０５、ＩＰ部２０６、ＳＮＭＰマネージャ部２０７、ＭＡＣアドレス学習一覧テーブルＴ２２、ＭＡＣアドレス検索処理部２０８、コマンド出力部２０９、ＭＡＣアドレス管理部２１０は図２で説明した本発明の第１の実施の形態と同じ構成である。
【００５５】
図１２の第２の発明の実施の形態においては、ＩＰアドレス一覧テーブル生成部２０２としてＩＰアドレス一覧テーブル自動生成部２１１で構成しており、ＩＰアドレス一覧テーブル自動生成コマンドが入力されたとき、ＩＰアドレス一覧テーブル自動生成部２１１がＩＣＰＭ部２０５に対して、ブロードキャストでＰｉｎｇ要求送信を依頼し、ＬＡＮ構成装置からのＰｉｎｇ応答により自動的にＩＰアドレス一覧テーブルＴ２１を生成する構成としており、ＩＰアドレス一覧テーブル自動生成部２１１がＳＮＭＰマネージャ部２０７と直接ＩＣＰＭ部２０５とに接続される構成が第１の実施の形態とは異なっている。
【００５６】
図１３は本発明の第２の発明の実施の形態のＩＰアドレス一覧テーブル自動生成処理のフローチャートを示す。
Ｓ４０１：検索装置２００にＩＰアドレス一覧自動生成コマンドがセグメント番号を指定して入力される。
Ｓ４０２：コマンド受付部２０１は入力したコマンドを分析し、ＩＰアドレス一覧自動生成コマンドであることを認識する。
【００５７】
Ｓ４０３：コマンド受付部２０１はＩＰアドレス一覧テーブル自動生成部２１１を起動し、ＩＰアドレス一覧テーブル自動生成部２１１は、ネットワークアドレス部をａｌｌ「１」に設定する。この設定で、ＬＡＮ内のすべてのＬＡＮ構成装置が以下の処理の対象となる。
Ｓ４０４：ＩＣＰＭ部２０５は送信先アドレスをネットワークアドレスがａｌｌ「１」のＬＡＮ構成装置を対象として、ブロードキャストでＰｉｎｇ要求を送信する。
【００５８】
Ｓ４０５：ＩＣＰＭ部２０５はＰｉｎｇ応答を受信する。
Ｓ４０６：ＩＰアドレス一覧テーブル自動生成部２１１はＰｉｎｇ応答が正常であったＬＡＮ構成装置のＰｉｎｇ応答内の送信元アドレスを抽出し、拡張ＭＩＢＭＡＣアドレス学習テーブルＴ１２が格納されている場所を示すインデックス値を抽出する。
【００５９】
Ｓ４０７：ＳＮＭＰマネージャ部２０７はＰｉｎｇ応答の受信結果が正常であったＬＡＮ構成装置に、拡張ＭＩＢＭＡＣアドレス学習テーブルＴ１２の格納インデックス値を設定したＧＥＴコマンドを送信する。
Ｓ４０８：ＳＮＭＰマネージャ部２０７はＧＥＴ応答を受信する。
Ｓ４０９：ＩＰアドレス一覧テーブル生成部２１１は受信したＧＥＴ応答が正常で拡張ＭＩＢ属性が拡張ＭＩＢＭＡＣアドレス学習テーブルのとき、ＧＥＴ応答内の送信元アドレスを当該セグメント内のＩＰアドレスとしてＩＰアドレス一覧テーブルＴ２１に格納する。
【００６０】
Ｓ４０１〜Ｓ４０９のフローチャートの処理によりＩＰアドレス一覧テーブルＴ２１を生成する。ＩＰアドレス一覧テーブルＴ２１を生成した後の、ＭＡＣアドレス学習一覧テーブルＴ２２の生成処理、およびＭＡＣアドレスの検索は本発明の第１の実施の形態で説明したフローチャートの処理と同じである。
（付記１）  ＭＡＣアドレスを付与されたＬＡＮ構成装置の設置場所の特定方法であって、
ＬＡＮ構成装置の設置場所をＭＡＣアドレスから特定する検索装置が、入力されたセグメント番号とＬＡＮ構成装置のＩＰアドレスからＩＰアドレス一覧テーブルを生成し、
前記ＩＰアドレス一覧テーブルに登録されたすべてのＬＡＮ構成装置にＩＰパケットを順次送信し、該ＩＰパケットに対して正常に応答を返したＬＡＮ構成装置を抽出し、
正常に応答を返した前記ＬＡＮ構成装置に対して、ＭＡＣアドレス学習テーブル内のポート番号およびＭＡＣアドレスを拡張ＭＩＢ情報として、拡張ＭＩＢＭＡＣアドレス学習テーブルへの格納を指示し、
前記拡張ＭＩＢＭＡＣアドレス学習テーブルへ正常に格納した前記ＬＡＮ構成装置から、前記拡張ＭＩＢＭＡＣアドレス学習テーブルの情報を収集して、ネットワーク内のＬＡＮ構成装置のＭＡＣアドレス学習一覧テーブルを生成し、
前記ＭＡＣアドレス学習一覧テーブルを検索して、指定されたＭＡＣアドレスを持つＬＡＮ構成装置の設置場所を特定する、
ことを特徴とするＬＡＮ構成装置の設置場所の特定方法。
【００６１】
（付記２）  ＭＡＣアドレスを付与されたＬＡＮ構成装置の設置場所の特定方法であって、
ＬＡＮ構成装置の設置場所をＭＡＣアドレスから特定する検索装置が、入力されたセグメント番号内のすべてのＬＡＮ構成装置にＩＰパケットをブロードキャストで送信し、該ＩＰパケットに対して正常に応答を返したＬＡＮ構成装置からＩＰアドレス一覧テーブルを自動生成し、
前記ＩＰアドレス一覧テーブルに登録されたすべてのＬＡＮ構成装置にＩＰパケットを順次送信し、該ＩＰパケットに対して正常に応答を返したＬＡＮ構成装置を抽出し、
正常に応答を返した前記ＬＡＮ構成装置に対して、ＭＡＣアドレス学習テーブル内のポート番号およびＭＡＣアドレスを拡張ＭＩＢ情報として、拡張ＭＩＢＭＡＣアドレス学習テーブルへの格納を指示し、
前記拡張ＭＩＢＭＡＣアドレス学習テーブルへ正常に格納した前記ＬＡＮ構成装置から、前記拡張ＭＩＢＭＡＣアドレス学習テーブルの情報を収集して、ネットワーク内のＬＡＮ構成装置のＭＡＣアドレス学習一覧テーブルを生成し、
前記ＭＡＣアドレス学習一覧テーブルを検索して、指定されたＭＡＣアドレスを持つＬＡＮ構成装置の設置場所を特定する、
ことを特徴とするＬＡＮ構成装置の設置場所の特定方法。
【００６２】
（付記３）  ＭＡＣアドレスを付与されたＬＡＮ構成装置の設置場所の特定する検索装置であって、
入力したコマンドを解析するコマンド受付部と、
前記コマンド受付部を介して入力されたセグメント番号とＬＡＮ構成装置のＩＰアドレスからＩＰアドレス一覧テーブルを生成するＩＰアドレス一覧テーブル生成部と、
前記ＩＰアドレス一覧テーブルに登録されたＬＡＮ構成装置に、ＭＡＣアドレス学習テーブル内のポート番号とＭＡＣアドレスを拡張ＭＩＢ情報として拡張ＭＩＢＭＡＣアドレス学習テーブルへの格納を指示し、その格納結果を収集するＭＡＣアドレス学習テーブル前収集処理部と、
正常に応答を返した前記ＬＡＮ構成装置の前記拡張ＭＩＢＭＡＣアドレス学習テーブルの情報を収集して、ＭＡＣアドレス学習一覧テーブルを生成するＭＡＣアドレス学習テーブル収集処理部と、
前記ＭＡＣアドレス学習一覧テーブルを検索して、指定されたＭＡＣアドレスを持つＬＡＮ構成装置の設置場所を特定するＭＡＣアドレス検索処理部とを、
備えたことを特徴とする検索装置。
【００６３】
（付記４）  付記３に記載の検索装置において、
ＩＰアドレス一覧テーブル生成部を、前記コマンド受付部で、ＭＡＣアドレス検索コマンドを受け付けた際に、ＩＰアドレス一覧テーブルに登録されたネットワーク内のすべてのＬＡＮ構成装置にＩＰパケットをブロードキャストで送信し、その応答からネットワーク内のＩＰアドレス一覧テーブルを自動生成するＩＰアドレス一覧テーブル自動生成部から、
構成したことを特徴とする検索装置。
【００６４】
【発明の効果】
本発明によれば、あるＭＡＣアドレスをもつＬＡＮ構成装置に障害が発生した場合、ＬＡＮ構成装置情報を管理していない場合でも、障害発生したＬＡＮ構成装置（例えば、端末／サーバ）のＭＡＣアドレスから、障害発生したＬＡＮ構成装置（例えば、端末／サーバ）を接続しているＬＡＮ構成装置（例えば、ブリッジ装置／ハブ装置）のＩＰアドレスと接続ポート番号を容易に特定することが可能となる。
【００６５】
したがって、ＬＡＮ構成装置に障害が発生した場合でも、障害の対応を迅速に行うことが可能となりより、障害を短時間で終息することが可能となる。
さらに、本発明の拡張ＭＩＢである拡張ＭＩＢＭＡＣアドレス学習テーブルをＬＡＮ構成装置に実装することにより、マルチベンダ環境でも容易にＭＡＣアドレスを収容するＬＡＮ構成装置を検索することが可能となる。
【図面の簡単な説明】
【図１】  本発明のシステム構成を説明する図
【図２】  本発明の第１の発明の実施の形態の検索装置を説明する図
【図３】  本発明のハブ装置を説明する図
【図４】  本発明のＩＰアドレス一覧テーブル、ＭＡＣアドレス学習一覧テーブルを説明する図
【図５】  本発明の拡張ＭＩＢＭＡＣアドレス学習テーブルを説明する図
【図６】  本発明の第１の発明の実施の形態のＩＰアドレス一覧テーブル生成処理のフローチャート
【図７】  本発明の第１の発明の実施の形態のＭＡＣアドレス学習テーブル生成処理のフローチャート（その１）
【図８】  本発明の第１の発明の実施の形態のＭＡＣアドレス学習テーブル生成処理のフローチャート（その２）
【図９】  本発明の第１の発明の実施の形態のＭＡＣアドレス検索処理のフローチャート（その１）
【図１０】  本発明の第１の発明の実施の形態のＭＡＣアドレス検索処理のフローチャート（その２）
【図１１】  本発明の第１の発明の実施の形態のＭＡＣアドレス検索処理のフローチャート（その３）
【図１２】  本発明の第２の発明の実施の形態の検索装置を説明する図
【図１３】  本発明の第２の発明の実施の形態のＩＰアドレス一覧テーブル自動生成処理のフローチャート
【図１４】  従来技術のシステム構成を説明する図
【符号の説明】
１００、４００  ブリッジ装置
１１０、１１１、１１２、１２０、１２１、４１０、４１１、４１２、４２０、４２１  ハブ装置
１０１、２０６  ＩＰ部
１０２  ＳＮＭＰエージェント部
１０３  拡張ＭＩＢＭＡＣアドレス学習テーブル生成部
１０４、２１０  ＭＡＣアドレス管理部
２００  検索装置
２０１  コマンド受付部
２０２  ＩＰアドレス一覧テーブル生成部
２０３  ＭＡＣアドレス学習テーブル前収集処理部
２０４  ＭＡＣアドレス学習テーブル収集処理部
２０５  ＩＣＰＭ部
２０７  ＳＮＭＰマネージャ部
２０８  ＭＡＣアドレス検索処理部
２０９  コマンド出力部
２１１  ＩＰアドレス一覧テーブル自動生成部
３００、３１０  端末装置
５００  管理用端末装置
Ｔ１１  ＭＡＣアドレス学習テーブル
Ｔ１２  拡張ＭＩＢＭＡＣアドレス学習テーブル
Ｔ２１  ＩＰアドレス一覧テーブル
Ｔ２２  ＭＡＣアドレス学習一覧テーブル
【図１】
0004221919.tif 000002
【図２】
0004221919.tif 000003
【図３】
0004221919.tif 000004
【図４】
0004221919.tif 000005
【図５】
0004221919.tif 000006
【図６】
0004221919.tif 000007
【図７】
0004221919.tif 000008
【図８】
0004221919.tif 000009
【図９】
0004221919.tif 000010
【図１０】
0004221919.tif 000011
【図１１】
0004221919.tif 000012
【図１２】
0004221919.tif 000013
【図１３】
0004221919.tif 000014
【図１４】
0004221919.tif 000015